(57)【要約】【課題】かさばらないように分解しておくことができ、かつ、組立て時に容易に組み立てることのできる家具を提供する。【解決手段】引出家具を、本体３と、この本体３の上側に収容した引出しと、から構成する。本体３を、一対の側板７と、一対の側板７の後端部間にフック連結具９を用いて取り付けた背板１１と、一対の側板７の上端部に差込連結具１３を用いて取り付けた天板１５と、一対の側板７の内面間に高さ方向中間位置で支持連結具１７を用いて取り付けられた棚板１９と、を備えるように構成する。【選択図】図２
2015000080.tif 000002
【特許請求の範囲】
【請求項１】
一対の側板と、この一対の側板の後端部に取り付けられた背板と、前記一対の側板の上端部に取り付けられた天板と、前記一対の側板間に設けられた棚板又は底板と、を備えた家具であって、
前記側板の後端部と前記背板の側端部との間に設けられたフック連結具と、前記側板の上端部と前記天板の側端部との間に設けられた差込連結具と、前記側板と前記棚板又は前記底板の側端部との間に設けられた支持連結具と、を有し、
前記フック連結具は、前記側板の後端部と前記背板の側端部の一方に設けられたフック部材と、前記側板の後端部と前記背板の側端部の他方に設けられた、前記フック部材を引っ掛けるための受け側部材と、を含み、
前記差込連結具は、前記側板の上端部と前記天板の側端部の一方に設けられた差込部材と、前記側板の上端部と前記天板の側端部の他方に設けられた、前記差込部材の差込みによりこの差込部材と抜止係合する抜止部材と、を含んでいて、
前記支持連結具は、前記側板の内面側に設けられた支持部材と、前記棚板又は前記底板の側端部に設けられた、前記支持部材に嵌まってこの支持部材に支えられる被支持部材と、を含むことを特徴とする家具。
【請求項２】
前記一対の側板間にスライド可能に配置された引出しをさらに備え、
前記引出しは、一対の側板部と、この一対の側板部の後端部に取り付けられた背板部と、前記一対の側板部の下端部に取り付けられた底板部と、前記一対の側板部の先端部に取り付けられた前板部と、前記側板部の後端部と前記背板部の側端部との間に設けられた差込接続具と、前記側板部の先端部と前記前板部の間に設けられたフック接続具と、を有していて、
前記差込接続具は、前記側板部の後端部と前記背板部の側端部の一方に設けられた差込突起部材と、前記側板部の後端部と前記背板部の側端部の他方に設けられた、前記差込突起部材の差込みによりこの差込突起部材と抜止係合する抜止係合部材と、を含み、
前記フック接続具は、前記側板部の先端部と前記前板部の一方に設けられたフック接続部材と、前記側板部の先端部と前記前板部の他方に設けられた、前記フック接続部材を引っ掛けるための受け側引掛部材と、を含んでいる、ことを特徴とする請求項１記載の家具。
【請求項３】
前記底板部の先端部は、前記前板部の裏面に形成された固定用の溝に嵌り込んでいる、ことを特徴とする請求項２記載の家具。
【請求項４】
前記一対の側板の先端部の下側に取り付けられた幕板と、前記側板の前端部と前記幕板との間に設けられた差込用連結具と、をさらに備え、
前記差込用連結具は、前記側板の先端部と前記幕板の側端部の一方に設けられた差込用部材と、前記側板の先端部と前記幕板の側端部の他方に設けられた、前記差込用部材の差込みによりこの差込用部材と抜止係合する抜止用部材と、を有している、ことを特徴とする請求項１、２又は３記載の家具。
【請求項５】
一対の側板部と、この一対の側板部の後端部に取り付けられた背板部と、前記一対の側板部の下端部に取り付けられた底板部と、前記一対の側板部の先端部に取り付けられた前板部と、前記側板部の後端部と前記背板部の側端部との間に設けられた差込接続具と、前記側板部の先端部と前記前板部の間に設けられたフック接続具と、を備えた引出しであって、
前記差込接続具は、前記側板部の後端部と前記背板部の側端部の一方に設けられた差込突起部材と、前記側板部の後端部と前記背板部の側端部の他方に設けられた、前記差込突起部材の差込みによりこの差込突起部材と抜止係合する抜止係合部材と、を有し、
前記フック接続具は、前記側板部の先端部と前記前板部の一方に設けられたフック接続部材と、前記側板部の先端部と前記前板部の他方に設けられた、前記フック接続部材を引っ掛けるための受け側引掛部材と、を有する、ことを特徴とする引出し。
【請求項６】
前記底板部の先端部は、前記前板部の裏面に形成された固定用の溝に嵌り込んでいる、ことを特徴とする請求項５記載の引出し。
【発明の詳細な説明】
【技術分野】
【０００１】
本発明は、例えば屋内に設置される家具及びこの家具に設けられる引出しに関する。
【背景技術】
【０００２】
例えば一般家庭に設置される本棚やラックは、背板、この背板の両側に設けられた側板及び側板の上端に設けられた天板などを備えていて、製造過程で組み立てられて出荷されるのが通常である。しかしながら、組み立てられた本棚やラックは、全体が直方体状の外形を有しているので、かさばり、運搬作業が煩雑でその負担が大きい。そこで、こういった家具などを組立て可能に構成しておき、分解してコンパクトにした状態で各家庭などに家具等を搬送し、各家庭などで搬送された家具などを組み立てるといった出荷方法も採用されていて、ここでは、例えば、ユーザが分解された家具などを自宅に持ち帰り、自分で組み立てて自宅内に設置するといったことが可能となる（特許文献１参照）。
【先行技術文献】
【特許文献】
【０００３】
【特許文献１】実用新案登録第３１５３７７２号公報
【発明の概要】
【発明が解決しようとする課題】
【０００４】
ところで、こういった分解組立式の家具などは、ユーザが自分で組み立てることができるように、簡単かつ迅速な組立が可能な構成を有する必要がある。しかしながら、例えば特許文献１に記載されているような組立式の家具は、多くのネジを用いて組み立てるものであるため、組立作業が煩雑とならざるを得ない。
【０００５】
そこで本発明は、かさばらないように分解しておくことができ、かつ、組立て時に容易に組み立てることのできる家具及び引出しの提供を目的とする。
【課題を解決するための手段】
【０００６】
この目的を達成するための本発明の家具は、一対の側板と、この一対の側板の後端部に取り付けられた背板と、前記一対の側板の上端部に取り付けられた天板と、前記一対の側板間に設けられた棚板又は底板と、を備えた家具であって、前記側板の後端部と前記背板の側端部との間に設けられたフック連結具又はフック吊下連結具と、前記側板の上端部と前記天板の側端部との間に設けられた差込連結具と、前記側板（例えば前記側板の内面）と前記棚板又は前記底板の側端部との間に設けられた支持連結具又は嵌込支持連結具と、を有し、前記フック連結具又はフック吊下連結具は、前記側板の後端部と前記背板の側端部の一方に設けられたフック部材と、前記側板の後端部と前記背板の側端部の他方に設けられた、前記フック部材を引っ掛けるための又は引っ掛けて吊り下げるための受け側部材と、を含み、前記差込連結具は、前記側板の上端部と前記天板の側端部の一方に設けられた差込部材と、前記側板の上端部と前記天板の側端部の他方に設けられた、前記差込部材の差込みによりこの差込部材と抜止係合する抜止部材と、を含んでいて、前記支持連結具又は嵌込支持連結具は、前記側板の内面側に設けられた、すなわち、前記側壁の内面から突出するように設けられた支持部材と、前記棚板又は前記底板の側端部に設けられた、前記支持部材に嵌まってこの支持部材に支えられる被支持部材と、を含むものである。一対の側板間に引出しをスライド可能に配置することができるが、引出しは、一対の側板部と、この一対の側板部の後端部に取り付けられた背板部と、一対の側板部の下端部に取り付けられた底板部と、一対の側板部の先端部に取り付けられた前板部と、側板部の後端部と背板部の側端部との間に設けられた差込接続具と、側板部の先端部と前板部の間に設けられたフック接続具又はフック吊下接続具と、を備え、差込接続具は、側板部の後端部と背板部の側端部の一方に設けられた差込突起部材と、側板部の後端部と背板部の側端部の他方に設けられた、差込突起部材の差込みによりこの差込突起部材と抜止係合する抜止係合部材と、を有し、フック接続具又はフック吊下接続具は、側板部の先端部と前板部の一方に設けられたフック接続部材と、側板部の先端部と前板部の他方に設けられた、フック接続部材を引っ掛けるための又は引っ掛けて吊り下げるための受け側引掛部材と、を有し、底板部の先端部は、前板部の裏面に形成された固定用の溝に嵌り込んでいる、といったように構成できる。また、一対の側板の先端部の下側に差込用連結具を介して幕板を設けることができ、差込用連結具を、側板の先端部と幕板の側端部の一方に設けられた差込用部材と、側板の先端部と幕板の側端部の他方に設けられた、差込用部材の差込みによりこの差込用部材と抜止係合する抜止用部材と、を有するように構成できる。
【０００７】
本発明では、側板と背板、側板と天板及び側板と棚板又は底板の組立てがネジやボルトを用いずに、あるいはネジやボルトをほとんど又はあまり用いずに行うことができ、しかも、引っ掛ける、差し込む及び支えるといった単純な作業によって行なわれることとなる。天板は、例えば背板が側板に対して上側にずれることを防止する。また、一対の側板間に配置される引出しを上記のように構成すれば、側板部と背板部及び側板部と前板部の組立てがネジやボルトを用いずに、あるいはネジやボルトをほとんど又はあまり用いずに行うことができ、しかも、引っ掛ける及び差し込むといった単純な作業によって行なわれることとなる。引出しの底板部は、例えば側板部の内面に形成された取付溝又は取付凹部に嵌め込んで取り付けることができる。底板部の先端部を前板部の裏面に形成された固定用の溝又は固定用の凹部に嵌め込んでおけば、例えば前板部が側板部に対して上側にずれることを防止できる。
【０００８】
また、この目的を達成するための本発明の引出しは、一対の側板部と、この一対の側板部の後端部に取り付けられた背板部と、前記一対の側板部の下端部に取り付けられた底板部と、前記一対の側板部の先端部に取り付けられた前板部と、前記側板部の後端部と前記背板部の側端部との間に設けられた差込接続具と、前記側板部の先端部と前記前板部の間に設けられたフック接続具又はフック吊下接続具と、を備えた引出しであって、前記差込接続具は、前記側板部の後端部と前記背板部の側端部の一方に設けられた差込突起部材と、前記側板部の後端部と前記背板部の側端部の他方に設けられた、前記差込突起部材の差込みによりこの差込突起部材と抜止係合する抜止係合部材と、を有し、前記フック接続具又はフック吊下接続具は、前記側板部の先端部と前記前板部の一方に設けられたフック接続部材と、前記側板部の先端部と前記前板部の他方に設けられた、前記フック接続部材を引っ掛けるための又は引っ掛けて吊り下げるための受け側引掛部材と、を有しているものである。底板部は、例えば側板部の内面に形成された取付溝又は取付凹部に嵌め込んで取り付けることができる。また、底板部の先端部が前板部の裏面に形成された固定用の溝又は固定用の凹部に嵌まり込むように構成できる。
【発明の効果】
【０００９】
本発明によれば、ユーザでも簡単に組み立てることができる家具及び引出しを提供できる。
【図面の簡単な説明】
【００１０】
【図１】本発明に係る引出家具の全体構成を示す斜視図である。
【図２】引出家具の本体の構成を示す分解斜視図である。
【図３】側板と背板とを接続するフック連結具の構成を示すための斜視図である。
【図４】側板と背板とを接続するフック連結具の構成を示す断面図である。
【図５】側板と天板とを接続する差込連結具の構成を示すための斜視図である。
【図６】側板と天板とを接続する差込連結具の構成を示す断面図である。
【図７】抜止部材を示す図である。
【図８】側板と棚板とを接続する支持連結具の構成を示すための斜視図である。
【図９】側板と棚板とを接続する支持連結具の構成を示す断面図である。
【図１０】側板と幕板の接続構造を示す図である。
【図１１】引出しの分解斜視図である。
【図１２】引出しの構成を示す断面図である。
【発明を実施するための形態】
【００１１】
以下、図面を参照して本発明の実施の形態を説明する。
【００１２】
図１は本発明に係る引出家具の斜視図、図２は引出家具の本体の分解斜視図である。
【００１３】
引出家具１は、本体３と、この本体３の上側に収容された引出し５と、を備えている。
【００１４】
本体３は、一対の側板７と、この一対の側板７の後端部間にフック連結具（フック吊下連結具）９を用いて取り付けられた背板１１と、一対の側板７の上端部に差込連結具１３を用いて取り付けられた天板１５と、一対の側板７の内面間に高さ方向中間位置で支持連結具（嵌込支持連結具）１７を用いて取り付けられた棚板１９と、一対の側板７の内面間に下側位置で支持連結具１７を用いて取り付けられた底板２１と、一対の側板７の先端部の下端部分に差込連結具１３を用いて取り付けられた幕板２３と、を備えている。なお、図中の符号２５は、それぞれの側板７の内面上側に取り付けられた断面コ字状のレールであり、引出し５は、それぞれの側板部２７の外面に設けられた凸条２９をこのレール２５にスライド可能に嵌め入れることで本体３に出し入れ可能に収容されている。
【００１５】
図３はフック連結具９の構成を示すための斜視図、図４はフック連結具９の構成を示す断面図である。
【００１６】
側板７はそれぞれ、外側及び内側の２枚の板材３１を縦方向に延びる複数のスペーサ３３を介して結合した構成を有し、背板１１は、外側及び内側の２枚の板材３１を横方向又は幅方向に延びる複数のスペーサ２７を介して結合した構成を有している（図３では側板７も背板１１も概略的に示されている）。側板７と背板１１とを接続するフック連結具９は、それぞれの側板７の後端部及び背板１１の側端部の間の上下２個所に配置されていて、側板７に設けられた受け側部材３５と、背板１１に設けられたフック部材３７と、を有している。受け側部材３５は中空の薄い直方体状に形成され、前壁の上下２個所に差込孔３９を有し、それぞれの差込孔３９の下側に係合部４１を含んでいて、受け側部材３５の周壁の前壁側にはスナップ抜止部４３が設けられている。このような受け側部材３５は、側板７の後端部に形成された受け側嵌込孔４５に埋め込まれるようにして嵌め付けられている。受け側嵌込孔４５は、側板７の内側板材３１に受け側部材３５と同一又はほぼ同一の形状及び大きさの孔４７をあけ、この孔４７に対応するスペーサ３３部分を削ることにより形成されていて、受け側部材３５は、後壁の裏面又は外面が外側板材３１の内面に当接し、前壁の表面が内側板材３１の内面と同一位置又はほぼ同一位置となり、スナップ抜止部４３が内側板材３１の外側面の孔４７周囲にスナップ係合するようにこの受け側嵌込孔４５内に嵌め付けられている。また、背板１１に設けられたフック部材３７は、直方体状の埋込基部又は嵌込基部４９と、この埋込基部４９の前面から突出し、下側に屈曲する上下一対のＬ形フック５１と、埋込基部４９の周壁に設けられたスナップ嵌合部５３と、を備え、それぞれのＬ形フック５１は、突出部５５及びこの突出部５５の先端部から下側に延びる引掛部５７を有していて、背板１１の側端に形成されたフック嵌込孔５９に埋め込まれるようにして嵌め付けられている。フック嵌込孔５９は、埋込基部４９が収容されるようにスペーサ３３を削ることにより形成されていて、フック部材３７は、埋込基部４９の前面が背板１１の側端縁と一致又はほぼ一致し、スナップ嵌合部５３が内外の板材３１に形成された抜止孔６１にスナップ嵌合するようにこのフック嵌込孔５９内に嵌め付けられている。
【００１７】
背板１１と側板７との接続は、受け側部材３５の差込孔３９にＬ形フック５１を差し込み、背板１１を相対的に下降させてＬ形フック５１（より具体的には引掛部５７）を受け側部材３５の係合部４１に係合させることにより行われるが、受け側部材３５の差込孔３９の幅はＬ形フック５１の幅と等しく又はほぼ等しく、受け側部材３５の係合部４１の厚みはＬ形フック５１の突出量（埋込基部４９の前面からＬ形フック５１の引掛部５７までの長さ）と等しい又はほぼ等しいので、背板１１と側板７との間にがたが生じないように構成されている。なお、背板１１を相対的に上昇させてＬ形フック５１を受け側部材３５の差込孔３９から抜き取ることにより側板７と背板１１とを分離できる。
【００１８】
図５は差込連結具１３の構成を示すための斜視図、図６は差込連結具１３の構成を示す断面図、図７は抜止部材を示す図である。
【００１９】
天板１５は、外側及び内側の２枚の板材３１を幅方向に延びる複数のスペーサ３３を介して結合した構成を有し、両側端部には外板６３が固定されている（図５では側板７も天板１５も概略的に示されている）。側板７と天板１５とを接続する差込連結具１３は、それぞれの側板７の上端部及び天板１５の側端部の間の前後２個所に配置されていて、側板７に設けられた抜止部材６５と、天板１５に設けられた差込部材６７と、を有している。抜止部材６５は、外壁部６９の両側に側壁部７１を有する断面コ字状のケース７３と、このケース７３の奥側部７５に一体的に接続されてケース７３内に収められている挟み付け部７７と、を備え、ケース７３の奥側部７５にはケース７３の開口側（内側開口）を塞ぐ内壁部７９が一体的に形成されていて、この内壁部７９と外壁部６９との間には中間位置で掛け渡された補強部８０が一体的に形成されている。挟み付け部７７は、ケース７３の補強部８０に一体的に接続された基端部８１（基端部８１の内端部分は内壁部７９に接続されている）と、この基端部８１から先端側に向かい漸次間隔が広がるように延びる一対の弾性アーム８３と、それぞれの弾性アーム８３の先端部に形成されたロール８５と、を有し、内壁部７９の先端側に位置するように形成されている。また、ケース７３の奥側部７５の周壁にはスナップ嵌合部８７が形成されている。挟み付け部７７は、ケース７３の開放側に位置する面がケース７３の開放端（内壁部７９の内面）と一致又はほぼ一致し、ケース７３の外壁部６９側に位置する面が外壁部６９と隙間を有するように形成されている（特に図7参照）。このような抜止部材６５は、側板７の上端に形成された抜止嵌込孔８９に埋め込まれるようにして嵌め付けられている。抜止嵌込孔８９は、ケース７３が収容されるようにスペーサ３３を削ることにより形成されていて、抜止部材６５は、ケース７３の先端が側板７の上端縁と一致又はほぼ一致し、スナップ嵌合部８７が内外の板材３１に形成された抜止孔９１にスナップ嵌合するようにこの抜止嵌込孔８９に嵌め付けられている。また、天板１５に設けられた差込部材６７は、直方体の長さ方向両端部を断面円弧状に形成した形状の嵌込基部又は埋込基部９３と、この嵌込基部９３の前面から突出する差込突出部９５と、を有し、嵌込基部９３の周壁の前面側にはスナップ抜止部９７が設けられている。差込突出部９５の先端側は矢印状又は鏃状に形成されて差込係合部９８を構成している。このような差込部材６７は、天板１５の側端部に形成された差込嵌込孔９９に埋め込まれるようにして嵌め付けられている。差込嵌込孔９９は、天板１５の内側板材３１に差込部材６７と同一又はほぼ同一の形状及び大きさの孔１０１をあけ、この孔１０１に対応するスペーサ３３部分を削ることにより形成されていて、差込部材６７は、後端が外側板材３１の内面に当接し、前面が内側板材３１の内面と同一位置又はほぼ同一位置となり、スナップ抜止部９７が内側板材３１の外面の孔１０１周囲にスナップ係合するようにこの差込嵌込孔９９内に嵌め付けられている。
【００２０】
天板１５と側板７との接続は、天板１５に設けられた差込部材６７の差込突出部９５を、側板７に設けられた抜止部材６５の挟み付け部７７に差し込むことにより行なわれる。差込突出部９５の差込係合部９８を一対のロール８５間に差し込むと、弾性アーム８３が開いて一対のロール８５の間隔が広がるが、差込係合部９８が一対のロール８５間を通過すると弾性アーム８３がスナップ的に閉じて一対のロール８５の間隔が狭まり、差込係合部９８の後端部の両側にロール８５が係合し、差込突出部９５は挟み付け部７７に抜止状態で連結される。なお、天板１５を上側に強く引っ張って差込係合部９８でロール８５の間隔を広げ、差込係合部９８をロール８５又は挟み付け部７７から抜き出すことにより、天板１５を側板７から取り外すことができる。
【００２１】
図８は支持連結具１７の構成を示すための斜視図、図９は支持連結具１７の構成を示す断面図である。
【００２２】
棚板１９は、外側及び内側の２枚の板材３１を幅方向に延びる複数のスペーサ３３を介して結合した構成を有している（図８では側板７も棚板１９も概略的に示されている）。側板７と棚板１９とを接続する支持連結具１７は、それぞれの側板７の内面側の高さ方向中間部及び棚板１９の側端部の間の前後２個所に配置されていて、側板７に設けられた支持部材１０３と、棚板１５に設けられた嵌込部材又は被支持部材１０５と、を有している。支持部材１０３は差込部材６７と同一の構成を有し（差込部材６７の符号を流用している）、側板７に内側板材３１から形成された支持嵌込孔１０７（差込嵌込孔９９と同一の構成なので符号を流用している）に嵌め付けられている。また、嵌込部材１０５は抜止部材６５と同一の構成を有し（抜止部材６５の符号を流用している）、棚板１５に形成された被支持嵌込孔１０９に、ケース７３の開放側が内側となるように嵌め付けられている。被支持嵌込孔１０９は、内側板材３１に形成された、挟み付け部７７を内側に開放する切欠き１１１を有する以外は抜止嵌込孔８９と同一の構成を備えている。
【００２３】
棚板１９と側板７との接続は、側板７の内面から突出する嵌込突出部１１３（差込突出部９５と同一の構成）に、棚板１９の切欠き１１１を通して挟み付け部７７を嵌め付けることにより行なわれる。嵌込突出部１１３に挟み付け部７７を嵌め付けると、ロール８５が若干開いた状態で嵌込突出部１１３の嵌込係合部１１５（差込係合部９８と同一の構成）の後端部を挟み付ける。なお、棚板１９を上側に強く引っ張って嵌込突出部１１３から挟み付け部７７を外すことにより、棚板１９を側板７から取り外すことができる。また、底板２３の側板７間への取り付けも棚板１５と同様にして行なわれる。
【００２４】
図１０は側板７と幕板２３との接続構造を示す図である。  
【００２５】
幕板２３は、外側及び内側の２枚の板材を幅方向に延びる複数のスペーサ（図示せず）を介して結合した構成を有していて、両側端部には例えば外板が設けられている。側板７と幕板２３との接続は、幕板２３側に設けられた差込部材６７と、側板7側に設けられた抜止部材６５と、を備えた差込連結具１３を用いて行なわれる。差込部材６７は幕板２３の内側板材の内面側から形成された差込嵌込孔９９（図１０では図示せず）に嵌め付けられ、抜止部材６５は側板７に形成された抜止嵌込孔８９（図１０では図示せず）に嵌め付けられている。なお、幕板２３が突出しないように、側板７の先端部の下端部分を窪ませてこの窪みに幕板２３を嵌め込むように構成してもよい（図１の引出部分参照）。
【００２６】
本体３は、例えば、側板７と背板１１との接続、側板７への天板１５の取付け、側板７間への棚板１９及び底板２１の取付け、そして側板７への幕板２３の取付け、といった順序で組み立てられる。
【００２７】
図１１は引出し５の分解斜視図、図１２は引出し５の構成を示す断面図である。
【００２８】
引出し５は、一対の側板部２７と、この一対の側板部２７の後端部に取り付けられた背板部１１７と、一対の側板部２７間の下端部に取り付けられた底板部１１９と、一対の側板部２７の先端部に取り付けられた前板部１２１と、を備え、側板部２７、背板部１１７及び前板部１２１はそれぞれ、外側及び内側の２枚の板材３１を横方向に延びる複数のスペーサ３３を介して結合した構成を有していて、背板部１１７及び前板部１２１の両側端部には例えば外板（図示せず）が設けられている。図１１では側板部２７、背板部１１７及び前板部１２１は概略的に示されている。側板部２７の後端部と背板部１１７の側端部との接続は差込接続具１２３を用いて行われ、この差込接続具１２３は、背板部１１７の側端部に設けられた差込突起部材１２５と、側板部２７の後端部に設けられた抜止係合部材１２７と、を有しているが、差込突起部材１２５は差込部材６７と同一の構成及び機能を有し、抜止係合部材１２７は抜止部材６５と同一の構成及び機能を有している（寸法の相違はあり得るが、差込突起部材１２５及び抜止係合部材１２７には差込部材６７及び抜止部材６５の符号を流用している）。差込突起部材１２５は、背板部１１７の内側板材の内面側から形成された差込突起嵌込孔１２９（差込嵌込孔９９と同一の構成、ただし寸法の相違はあり得る）に嵌め付けられ、抜止係合部材１２７は側板部２７の後端に形成された抜止係合嵌込孔１３１（抜止嵌込孔８９と同一の構成、ただし寸法の相違はあり得る）に嵌め付けられている。また、側板部２７の先端部と前板部１２１の側端側との接続はフック接続具１３３を用いて行われ、このフック接続具１３３は、側板部２７の先端部に設けられたフック接続部材１３５と、前板部１２１の側端側に設けられた受け側引掛部材１３７と、を有しているが、フック接続部材１３５はフック部材３７と同一の構成及び機能を有し、受け側引掛部材１３７は受け側部材３５と同一の構成及び機能を有している（寸法の相違はあり得るが、フック接続部材１３５及び受け側引掛部材１３７にはフック部材３５及び受け側部材３７の符号を流用している）。フック接続部材１３５は、側板部２７の先端に形成されたフック接続嵌込孔１３９（フック嵌込孔５９と同一の構成、ただし寸法の相違はあり得る）に嵌め付けられ、受け側引掛部材１３７は前板部１２１の内側板材の内面側から形成された受け側引掛嵌込孔１４１（受け側嵌込孔４５と同一の構成、ただし寸法及びスペーサ３３の位置関係の相違はあり得る）に嵌め付けられている。底板部１１７は、それぞれの側板部２７の内面に形成された取付溝１４３内に嵌め込まれ、底板部１１７の先端部は、前板部１２１の裏面に形成された固定用の溝１４５に嵌り込んでいる。なお、固定用の溝１４５は受け側引掛部材１３７の前壁面にも形成されている。また、底板部１１７の後端部は背板部１１７で押えられている。
【００２９】
引出し５は、例えば、側板部２７への前板部１２１の取付け、底板部１１９の取付け、そして側板部２７への背板部１１７の取付け、といった順序で組み立てられる。
【産業上の利用可能性】
【００３０】
本発明は、構成プレートに分解された家具や引出しを簡単に組み立てるのに利用することができる。
【符号の説明】
【００３１】
１                        引出家具
３                        本体
７                        側板
９                        フック連結具
１１                      背板
１３                      差込連結具
１５                      天板
１７                      支持連結具
１９                      棚板
２１                      底板
【図１】
2015000080.tif 000003
【図２】
2015000080.tif 000004
【図３】
2015000080.tif 000005
【図４】
2015000080.tif 000006
【図５】
2015000080.tif 000007
【図６】
2015000080.tif 000008
【図７】
2015000080.tif 000009
【図８】
2015000080.tif 000010
【図９】
2015000080.tif 000011
【図１０】
2015000080.tif 000012
【図１１】
2015000080.tif 000013
【図１２】
2015000080.tif 000014